(57)【特許請求の範囲】
【請求項１】
読み取り領域に置かれた帳票を撮影してデジタル信号に変換してイメージデータを取得するイメージ取得手段と、帳票に印字を行う印字手段と、帳票の有無を判定する帳票有無判定手段と、オペレータに対して警告情報を表示する警告表示手段とを備え、
オペレータにより読み取り領域にセットされた帳票を前記イメージ取得手段により撮影して帳票イメージを読み取り結果メモリに格納し、前記印字手段はオペレータにより印字手段に帳票が挿入されたか否かを判断し、帳票が挿入されていないと判断すると、前記イメージ取得手段が読み取り領域上の帳票を撮影して帳票イメージを一時読み取りメモリに格納し、この帳票イメージをもとに前記帳票有無判定手段が帳票の有無を判定し、帳票なしと判定した場合、帳票が入れ替わったおそれがあるとして前記警告表示手段によりオペレータに対して警告情報を表示することを特徴とするスキャナ装置。
【請求項２】
請求項１において、オペレータにより読み取り領域にセットされた帳票を前記イメージ取得手段により撮影して帳票イメージを読み取り結果メモリに格納し、前記印字手段により挿入された帳票に印字を行った後、帳票を印字手段の帳票挿入口で保持して前記イメージ取得手段により撮影して帳票イメージを印字時読み取りメモリに格納することにより、帳票が入れ替わっても帳票を確定することができることを特徴とするスキャナ装置。
【発明の詳細な説明】
【０００１】
【発明の属する技術分野】
本発明は、帳票イメージを読み取るスキャナ装置に関するもので、特に帳票をイメージ読み取り領域に置き、上方からデジタルカメラ等にて撮影する非接触型のスキャナ装置に関する。
【０００２】
【従来の技術】
非接触型のスキャナ装置に帳票に対する印字機能をもたせた場合、その帳票はオペレータの手作業によって印字装置に挿入されている。
【０００３】
【発明が解決しようとする課題】
このように非接触型のスキャナ装置に印字機能をもたせた場合、走行系のスキャナ装置のように帳票が吸入されてイメージ取得、印字が行われるのでなく、オペレータの手作業によって帳票のイメージ取得のセット、印字位置への挿入が行われるため、誤ってもしくは故意にイメージ取得と印字との間で帳票が替わってしまうおそれがある。
【０００４】
また、実際に帳票の入れ替わりが発生した場合、それらの帳票の後からの追跡が非常に困難となるという問題がある。
【０００５】
【課題を解決するための手段】
そこで本発明は、読み取り領域に置かれた帳票を撮影してデジタル信号に変換してイメージデータを取得するイメージ取得手段と、帳票に印字を行う印字手段と、帳票の有無を判定する帳票有無判定手段と、オペレータに対して警告情報を表示する警告表示手段とを備え、オペレータにより読み取り領域にセットされた帳票を前記イメージ取得手段により撮影して帳票イメージを読み取り結果メモリに格納し、前記印字手段はオペレータにより印字手段に帳票が挿入されたか否かを判断し、帳票が挿入されていないと判断すると、前記イメージ取得手段が読み取り領域上の帳票を撮影して帳票イメージを一時読み取りメモリに格納し、この帳票イメージをもとに前記帳票有無判定手段が帳票の有無を判定し、帳票なしと判定した場合、帳票が入れ替わったおそれがあるとして前記警告表示手段によりオペレータに対して警告情報を表示することを特徴とする。
【０００６】
また、オペレータにより読み取り領域にセットされた帳票を前記イメージ取得手段により撮影して帳票イメージを読み取り結果メモリに格納し、前記印字手段により挿入された帳票に印字を行った後、帳票を印字手段の帳票挿入口で保持して前記イメージ取得手段により撮影して帳票イメージを印字時読み取りメモリに格納することにより、帳票が入れ替わっても帳票を確定することができることを特徴とする。
【０００７】
【発明の実施の形態】
以下に本発明の実施の形態例を図面を用いて説明する。
第１実施の形態例
図１はスキャナ装置の平面説明図、図２は同正面説明図、図３は使用状態の平面説明図、図４は装置のブロック図である。
【０００８】
図において、１は帳票、２はこの帳票１をイメージ撮影するための読み取り領域となるマット、３はデジタルカメラ等により画像取得を行うイメージ取得部であり、イメージを撮影し、デジタル信号に変換する機能を有する。
４は印字部であり、挿入された帳票１に対して印字を行う。
５は制御部であり、装置全体の制御を行う。
【０００９】
６は帳票有無判定部であり、一次読み取りメモリ７に格納された帳票イメージに対して、イメージ中の白画素の有無を調べて帳票の有無を判定する。
一時読み取りメモリ７および読み取り結果メモリ８は、イメージ取得部３にて取得した帳票イメージを格納する。
９は入力部であり、オペレータからの入力を受け付けるキーボード、マスク等の装置である。
【００１０】
１０は表示部であり、オペレータに対してメッセージ等を表示するＣＲＴ等の装置である。
上記の構成によるスキャナ装置の作用を図５のフローチャートを用いて説明する。
ＳＡ１  オペレータがマット２上に帳票１をセットする。
【００１１】
ＳＡ２  オペレータが入力部９を操作してイメージ取得部３によってマット２上の帳票１を撮影し、帳票イメージを読み取り結果メモリ８に格納する。
ＳＡ３  印字部４に帳票１が挿入されているか否かを印字部によってチェックする。なお、帳票１の挿入はオペレータが手操作によって行う。挿入されている場合はＳＡ７に進み、挿入されていない場合にはＳＡ４に進む。
【００１２】
ＳＡ４  印字部１０に帳票が挿入されていない場合、イメージ取得部３がマット上の帳票を撮影し、帳票イメージを一時読み取りメモリ７に格納し、帳票有無判定部６が一時読み取りメモリ７に格納された帳票イメージの白画素の有無を調べる。なお、印字部１０に帳票が挿入されても図３に示す如く、帳票の一部が印字部１０に吸入されているだけで大部分はマット上に残った状態である。
【００１３】
ＳＡ５  白画素が規定値以上あった場合には帳票が有りとなり、オペレータは印字部４に帳票１を挿入し、規定値に満たない場合には帳票なしとする。
ＳＡ６  帳票なしと判断した場合には、表示部１０に帳票が入れ替わったおそれがある旨の警告メッセージを表示する。これによってオペレータはＳＡ１からの作業をやり直す。
【００１４】
ＳＡ７  ＳＡ３で帳票が印字部１０に挿入されていた場合には、印字部１０が印字を行った後、帳票をマット上に排出する。
ＳＡ８  オペレータがマット２上の帳票１を取り、作業は終了する。
以上の実施の形態によると、印字部１０に帳票が挿入されていない場合でしかも、マット上に帳票がないと判断された場合に（ＳＡ６）警告メッセージを表示するようにしたことにより、オペレータの誤りを低減させることが可能となる。
【００１５】
第２実施の形態例
スキャナ装置の外観は上記図１、図２と同様であり、図６は装置のブロック図を示す。
図において、１は帳票、２はこの帳票１を載せるマット、３はデジタルカメラ等により画像取得を行うイメージ取得部であり、イメージを撮影し、デジタル信号に変換する機能を有する。
【００１６】
４は印字部であり、挿入された帳票１に対して印字を行う。
５は制御部であり、装置全体の制御を行う。
６は帳票有無判定部であり、印字時読み取りメモリ１１に格納された帳票イメージに対して、イメージ中の白画素の有無を調べて帳票の有無を判定する。
印字時読み取りメモリ１１および読み取り結果メモリ８は、イメージ取得部３にて取得した帳票イメージを格納する。
【００１７】
９は入力部であり、オペレータからの入力を受け付けるキーボード、マスク等の装置である。
１０は表示部であり、オペレータに対してメッセージ等を表示するＣＲＴ等の装置である。
上記の構成によるスキャナ装置の作用を図７のフローチャートを用いて説明する。
【００１８】
ＳＢ１  オペレータがマット２上に帳票１をセットする。
ＳＢ２  オペレータが入力部９を操作してイメージ取得部３によってマット２上の帳票１を撮影し、帳票イメージを読み取り結果メモリ８に格納する。
ＳＢ３  印字部４に帳票１が挿入されているか否かを印字部によってチェックする。なお、帳票１の挿入はオペレータが手操作によって行う。挿入されている場合はＳＢ４に進み、挿入されていない場合には再度、帳票の挿入をチェックする。
【００１９】
ＳＢ４  印字部１０に帳票が挿入されていた場合、印字を行った後、帳票を排出し、印字部１０の帳票挿入口で帳票を保持する。
ＳＢ５  この保持状態で、イメージ取得部３がマット上の帳票を撮影し、印字時読み取りメモリ１１に格納する。その後、印字部１０が帳票挿入口での帳票保持を解除する。
【００２０】
ＳＢ６  オペレータがマット２上から帳票１を取り、作業は終了する。
以上の実施の形態によると、印字部１０に帳票が挿入されて印字が行われた場合に、その印字された帳票を印字部から取り出す前に必ずマット上の帳票を撮影し、印字時読み取りメモリ１１に格納するために、万一、帳票が入れ替わったようなことが発生しても帳票を確定することができるために後からその帳票の追跡が可能となる。
【００２１】
なお、上記各実施の形態例において、帳票の有無の検出をイメージデータの白画素によって行っているが、他のセンサでもむろんよく、例えば、超音波や光センサ等でもよいもので、帳票の有無の検出ができるものであればどのような技術でもよい。
【００２２】
【発明の効果】
以上詳細に説明した本発明によると、第１の実施の形態によると、印字部に帳票が挿入されていない場合でしかも、マット上に帳票がないと判断された場合には帳票が入れ替わったおそれがある旨の警告メッセージを表示するようにしたことにより、オペレータの誤りを低減させることが可能となる効果を有する。
【００２３】
また、第２の実施の形態によると、印字部に帳票が挿入されて印字が行われた場合に、その印字された帳票を印字部から取り出す前に必ずマット上の帳票を撮影し、印字時読み取りメモリに格納するために、万一、帳票が入れ替わったようなことが発生しても帳票を確定することができるために後からその帳票の追跡が可能となる効果を有する。また、そのことをオペレータに認識させることにより、オペレータに一層の注意を促す効果となる。
【図面の簡単な説明】
【図１】スキャナ装置の平面説明図
【図２】同正面説明図
【図３】使用状態の平面説明図
【図４】第１実施の形態例の装置のブロック図
【図５】第１実施の形態例の作用のフローチャート
【図６】第２実施の形態例の装置のブロック図
【図７】第２実施の形態例の作用のフローチャート
【符号の説明】
１  帳票
２  マット
３  イメージ取得部
４  印字部
５  制御部
６  帳票有無判定部
７  一次読み取りメモリ
８  読み取り結果メモリ
９  入力部
１０  表示部
１１  印字時読み取りメモリ
【図１】
0004325099.tif 000002
【図２】
0004325099.tif 000003
【図３】
0004325099.tif 000004
【図４】
0004325099.tif 000005
【図５】
0004325099.tif 000006
【図６】
0004325099.tif 000007
【図７】
0004325099.tif 000008